(57)【要約】【課題】吸収性能や補助吸収具の配置容易性を犠牲にすることなく、着用者の股間部に配される部分、特に脚周りに配される部分のフィット性及び外観を向上させた使い捨ておむつを提供すること。【解決手段】液透過性の表面シート、液不透過性の裏面シート及びこれら両シート間に介在する液保持性の吸収体を具備する吸収性本体５と、レッグ部弾性部材が配設されている外装体６と、該外装体６の腹側部Ａにおける両側縁部に連設されたウエストバンド部１０，１０とを備えたウエストバンドタイプの使い捨ておむつ１であって、外装体６は、股下部Ｃにおける左右両側に脚周り用の凹欠部５１を有しており、吸収性本体５は、各凹欠部５１の縁部からおむつ幅方向外方に張り出す張り出し部５１，５１を有している。【選択図】    図１
2004305601.tif 000002
【特許請求の範囲】
【請求項１】
液透過性の表面シート、液不透過性の裏面シート及びこれら両シート間に介在する液保持性の吸収体を具備する吸収性本体と、該吸収性本体の非肌当接面側に積層され、長手方向の両側部にレッグ部弾性部材が配設されている外装体と、該外装体の長手方向の一方の部位における両側縁部に連設されたウエストバンド部とを備え、左右の該ウエストバンド部の少なくとも何れか一方にバンド止着部が設けられていると共に、前記外装体の長手方向の他方の部位又は該部位に連設されたフラップ部におむつ止着部が設けられており、前記バンド止着部により、左右の前記ウエストバンド部を着用者の腹側又は背側において止着した後、前記おむつ止着部を、前記ウエストバンド部又はその隣接部位に止着して着用することができるようになしてある使い捨ておむつであって、
前記外装体は、股下部における左右両側に脚周り用の凹欠部を有しており、前記吸収性本体は、前記各凹欠部の縁部からおむつ幅方向外方に張り出す張り出し部を有している使い捨ておむつ。
【請求項２】
前記吸収性本体の長手方向における、左右に前記張り出し部を有する部分は、前記外装体の左右両側の一対のレッグ部弾性部材同士間の領域内においてのみ該外装体と接合されている請求項１記載の使い捨ておむつ
【請求項３】
前記張り出し部の最大張り出し幅が、該最大張り出し幅を有する部位における前記吸収性本体の幅の５〜３０％である請求項１又は２記載の使い捨ておむつ。
【請求項４】
前記吸収性本体の長手方向における、少なくとも左右に前記張り出し部を有する部分における前記吸収体に、一対の折曲補助手段が設けられている請求項１〜３の何れか記載の使い捨ておむつ。
【請求項５】
前記折曲補助手段が、前記吸収体に形成したスリット、前記吸収体に部分的に設けた吸収体形成材料が存在しない領域、又は前記吸収体に部分的に設けた吸収体形成材料の坪量が他の部分よりも低い領域である請求項１〜４の何れか記載の使い捨ておむつ。
【請求項６】
前記折曲補助手段が、前記吸収体にエンボス処理を施して形成した連続又は非連続のエンボス線である請求項１〜５の何れか記載の使い捨ておむつ。
【請求項７】
前記ウエストバンド部は、少なくとも一部に弾性伸縮性を有するウエストバンド部形成用のシート材を、前記外装体に脱着自在に固定して形成されている請求項１〜６の何れか記載の使い捨ておむつ。
【発明の詳細な説明】
【０００１】
【発明の属する技術分野】
本発明は、吸収性能や補助吸収具の配置容易性を犠牲にすることなく、着用者の股間部に配される部分、特に脚周りに配される部分のフィット性及び外観を向上させることのできる使い捨ておむつに関する。
【０００２】
【従来の技術及び発明が解決しようとする課題】
従来、展開型の使い捨ておむつとして、液透過性の表面シート、液不透過性の裏面シート、及びこれら両シート間に介在する液保持性の吸収体を具備し、使用時に着用者の腹側に位置する腹側部及び背側に位置する背側部を有するおむつが広く用いられており、展開型の使い捨ておむつの中でも大人が立ったまま装着可能なものとして、上記背側部の左右両側縁にそれぞれウェストバンド部が連設され、左右の該ウェストバンド部の少なくとも何れか一方における先端部にバンド止着部が設けられていると共に上記腹側部の両側部におむつ止着部が設けられており、前記バンド止着部により、左右の該ウエストバンド部を着用者の腹側において止着した後、前記おむつ止着部により、前記腹側部を前記ウエストバンド部に止着して着用するようになしてあるものが知られている（特許文献１，２参照）。
【０００３】
しかし、従来のおむつにおいては、充分な吸収容量を確保するべく、着用者の股間部に配される部分がかなり幅広に形成されており、そのため、着用者の股間部に配された部分にしわやよれ等が多数且つ不規則に生じ易く、フィット性が充分ではなく、外観上もすっきりとした印象を与えるものではなかった。股間に配される部分の見栄えを向上させるためには、着用者の股間部に配される部分の幅を狭くすることが考えられるが、その場合には、吸収容量が不充分となったり、補助吸収具の併用が困難になる等の問題が生じる。
【０００４】
【特許文献１】
特開平５−１８４６２３号公報
【特許文献２】
特開平９−２９０００２号公報
【０００５】
従って、本発明の目的は、吸収性能や補助吸収具の配置容易性を犠牲にすることなく、着用者の股間部に配される部分のフィット性及び外観を向上させることのできる使い捨ておむつを提供することにある。
【０００６】
【課題を解決するための手段】
本発明は、液透過性の表面シート、液不透過性の裏面シート及びこれら両シート間に介在する液保持性の吸収体を具備する吸収性本体と、該吸収性本体の非肌当接面側に積層され、長手方向の両側部にレッグ部弾性部材が配設されている外装体と、該外装体の長手方向の一方の部位における両側縁部に連設されたウエストバンド部とを備え、左右の該ウエストバンド部の少なくとも何れか一方にバンド止着部が設けられていると共に、前記外装体の長手方向の他方の部位又は該部位に連設されたフラップ部におむつ止着部が設けられており、前記バンド止着部により、左右の前記ウエストバンド部を着用者の腹側又は背側において止着した後、前記おむつ止着部を、前記ウエストバンド部又はその隣接部位に止着して着用することができるようになしてある使い捨ておむつであって、前記外装体は、股下部における左右両側に脚周り用の凹欠部を有しており、前記吸収性本体は、前記各凹欠部の縁部からおむつ幅方向外方に張り出す張り出し部を有している使い捨ておむつを提供することにより、前記目的を達成したものである。
【０００７】
【発明の実施の形態】
以下、本発明をその好ましい実施形態に基づき図面を参照しながら説明する。本発明の一実施形態としての使い捨ておむつ１は、立ったままでも装着可能な成人用のおむつであり、図１〜図４に示されるように、液透過性の表面シート２、液不透過性の裏面シート３、及びこれら両シート２，３間に介在する液保持性の吸収体４を具備する吸収性本体５と、該吸収性本体５の非肌当接面側に積層され、長手方向の両側部にレッグ部弾性部材６１が配設されている外装体６と、該外装体６の長手方向の一方の部位Ａにおける両側縁部に連設されたウエストバンド部１０，１０とを備えている。
【０００８】
本明細書において、吸収性本体の長手方向、外装体の長手方向、おむつの長手方向とは、それぞれ、着用者の腹側に配される部分から着用者の股下に配される部分を経て着用者の背側に配される部分に至る方向又はその逆の方向を意味する。
【０００９】
吸収性本体５及び吸収体４は、図１に示すように、それぞれ平面視形状が長方形状であり、吸収体４の幅は、吸収性本体５の幅より僅かに小さい。吸収体４は、表面シート２及び裏面シート３により挟持・固定されている。表裏面シート２，３は、吸収体４の長手方向両端縁外方において接着され、吸収体４の両側部においては、該吸収体４の側縁部４１を覆うように配された立体ガード７形成用の液不透過性ないし撥水性のシート材７２にそれぞれ接合されている。
【００１０】
本実施形態における吸収性本体５の長手方向左右両側には、それぞれ、弾性部材７１を有する立体ガード形成用シート７２を配されて立体ガード７が形成されている。立体ガード７は、おむつ長手方向両端部において起立不可能に固定されており、固定された前記両端部間においては、弾性部材７１が配された一側縁側が起立可能になされている。立体ガード形成用シート７２の立体ガード７を形成しない側は、吸収体４の両側部を覆って吸収体４の非肌当接面側に巻き込まれ、吸収体４の非肌当接面側において裏面シート３に接合されている。
本実施形態における吸収性本体５は、表面シート２、裏面シート３、吸収体４及び立体ガード７形成用シート７２が一体化されたものである。
【００１１】
外装体６は、図４に示すように、積層され互いに接合された内層シート６２及び外層シート６３並びにこれら両シート間に挟持固定されたレッグ部弾性部材６１からなる。外装体６の内層シート６２側が、吸収性本体５の幅方向中央領域に接着剤８を介して接合されている。
吸収性本体５の長手方向における、左右に前記張り出し部を有する部分５２は、前記外装体６の左右両側の一対のレッグ部弾性部材６１同士間の領域内においてのみ該外装体６と接合されていることが、着用者の股間部に配される部分のフィット性及び外観を向上の観点から好ましい。外装体の左右両側にそれぞれ複数本のレッグ部弾性部材６１が配されている場合における一対のレッグ部弾性部材６１同士間の領域内は、外装体６の最も幅方向中央側に位置するレッグ部弾性部材同士間の領域内を意味する。尚、吸収性本体５の前記部分５２以外の部分、例えば後述する吸収性本体の長手方向の一方の部位及び他方の部位における外装体との接合は、該吸収性本体の全幅に亘っていても良い。
レッグ部弾性部材６１は、外装体５の長手方向に沿って配されている。内層シート６２及び外層シート６３は、長手方向の中央部が括れた略砂時計状の形状を有している。レッグ部弾性部材６１は、尿取りパッド（補助吸収具）を併用する場合の補助吸収具の配置容易性に影響を与えないように直線状に配されていることが好ましい（図１参照）。また、股下部には横方向に収縮する弾性部材を配置しないことが好ましい。
【００１２】
外装体６は、実質的に縦長に形成されており、長手方向の一方の部位Ａの左右両側縁部には、それぞれウェストバンド部１０，１０が連設されており、左右のウェストバンド部１０，１０の少なくとも何れか一方における先端部には、バンド止着部１１が設けられている（以下、外装体６における、左右にウエストバンド部を有する側の前記長手方向の一方の部位Ａを、便宜的に腹側部という）。また、長手方向の他方の部位（以下、便宜的に背側部という）Ｂの左右両側縁部には、それぞれフラップ部２０，２０が連設されており、各フラップ部２０に、各々２つのおむつ止着部２１がおむつ長手方向に離間させて設けられている。
外装体６の長手方向の一方の部位及び他方の部位は、概ね、外装体６の長手方向の両端縁それぞれから外装体６の全長の１／３位迄の領域である。股下部Ｃは、おむつの長手方向における、着用時に着用者の股下に配される部分である。
【００１３】
本実施形態のおむつ１における各ウェストバンド部１０は、ウエストバンド部形成用のシート材１０Ａを、外装体６の腹側部Ａにおける左右両側縁部の外層シート６３側の面に、接着剤、ヒートシール、超音波シール等の公知の接合方法により接合して形成されている（図２，図３参照）。
ウエストバンド部形成用のシート材１０Ａは、少なくともウエストバンド部の基端側に弾性伸縮部を形成し得るものが好ましく、そのようなシート材１０Ａとしては、ウエストバンド部の基端側に配される端縁１３の近傍に細幅の弾性伸縮部を有するシート材、ウエストバンド部の延出方向の中央付近より前記端縁１３側の半分が弾性伸縮部であるシート材、その全体が弾性伸縮性を有するシート材等が挙げられる。
【００１４】
本実施形態のおむつ１における各フラップ部２０は、フラップ部形成用のシート材２０Ａを、外装体６の背側部Ｂにおける左右両側部の外層シート６３側の面に、接着剤、ヒートシール、超音波シール等の公知の接合方法により接合して形成されている（図２，図４参照）。
フラップ部形成用のシート材２０Ａも、少なくともフラップ部の基端側に弾性伸縮部を形成し得るものが好ましく、そのようなシート材２０Ａとしては、フラップ部の基端側に配される端縁２３の近傍に細幅の弾性伸縮部を有するシート材、フラップ部の延出方向の中央付近より前記端縁２３側の半分が弾性伸縮部であるシート材、その全体が弾性伸縮性を有するシート材等が挙げられる。
【００１５】
本実施形態のおむつ１に具体的に用いたシート材１０Ａ，２０Ａは、その全体が弾性伸縮性を有するシート材である。他の好ましい例としては、その全体が弾性伸縮部であるシートと、弾性伸縮性を有しないシート材とが連結された複合シートを挙げることができる。
【００１６】
弾性伸縮性を有するシート材としては、例えば、エラストマー材料からなるシートの片面又は両面に、ウエストバンド部の長手方向（延出方向）に伸張可能な繊維集合体を積層して一体化してなる積層シートを用いることができる。
エラストマー材料としては、天然ゴム、ブタジエン、イソプレン等の合成ゴム等が好ましく用いられる。エラストマー材料からなるシートとしては、エラストマー材料をフィルム化して得られる弾性フィルム、エラストマー材料からなる弾性繊維を、ネット状に成形したり不織布化したシート等が好ましく用いられる。
ウエストバンド部又はフラップ部の長手方向（延出方向）に伸張可能な繊維集合体としては、スリットの形成等の２次的な加工を施さなくてもそれ自体伸張性を有する不織布、例えばスパンデックスからなる不織布等や、それ自体は伸張性を有しないものにスリットの形成等の２次的な加工により伸張性を付与したもの等を用いることができる。
【００１７】
また、弾性伸縮性を有するシート材として、特許文献２に記載の、伸縮弾性を有するネット状シートと該ネット状シートの片面又は両面に積層された繊維集合体とからなる布帛や、特開平１０−５２７８号、特開平９−２８５４８９号、特開平９−２９９４０４号の各公報記載のもの等を用いることもできる。
【００１８】
ウエストバンド部１０は、少なくとも裏面シート側の面が、機械的ファスナーの凸部材が直接係合可能な材料からなることが好ましい。
バンド止着部１１及びおむつ止着部２１，２１は、その表面に多数の錨形や鉤形のオス型係合部材が配された機械的ファスナーの凸部材により形成されていることが好ましく、機械的ファスナーの凸部材としては、例えば「マジックテープ（登録商標）」（クラレ社製）、「クイックロン（登録商標）」（ＹＫＫ社製）、「マジクロス（登録商標）」（カネボウベルタッチ社製）等の市販品を用いることができる。
【００１９】
本実施形態の外装体６は、図１及び図２に示すように、股下部Ｃにおける左右両側に脚周り用の凹欠部６４を有している。脚周り用の凹欠部６４は、外装体の両側縁部を着用者の脚周りに沿う形状とするものである。本実施形態における凹欠部６４の縁部６５は、湾曲した曲線形状、より具体的には円弧状に形成されている。
外装体６における、左右両側に凹欠部６４が形成された部分は、その幅が、該部分の長手方向中央部に向かって漸減している。
【００２０】
そして、吸収性本体５は、図１及び図４に示すように、その左右両側に、外装体６の前記各凹欠部６４の縁部６５からおむつ幅方向外方に張り出す一対の張り出し部５１，５１を有している。
【００２１】
着用者の股間部に配される部分、特に脚周りに配される部分のフィット性及び外観を向上させる観点から、前記張り出し部５１の張り出し幅Ｗ１（図４参照）の最大値（最大張り出し幅）が、該最大張り出し幅を有する部位（図１のＹ−Ｙ線上に位置する部位）における吸収性本体５の幅Ｗ（図４参照）の５〜３０％、特に７．５〜２５％であることが好ましい。
また、同様の観点から、吸収性本体５の長手方向における、張り出し部５１を有する部分５２の長さＬ１（図１参照）は、吸収性本体５の全長Ｌ（図１参照）の５〜６５％、特に７〜５５％であることが好ましい。
尚、成人用おむつの場合、吸収性本体５の張り出し部５１を有する部分５２の幅Ｗは、充分な吸収性能を確保する観点及び幅を抑えて装着感や装着性の悪化を防止する観点から、該部分５２の長手方向に亘って１６〜３４ｃｍの範囲内であることが好ましいが、この場合における、張り出し部５１の前記最大張り出し幅は１〜８ｃｍが好ましい。また、吸収性本体５の張り出し部５１を有する部分５２の長さＬ１（図１参照）は４〜６５ｃｍであることが好ましい。
【００２２】
また、着用者の股間部に配される部分、特に脚周りに配される部分のフィット性及び外観を向上させる観点から、吸収性本体５が前記最大張り出し幅を有する部位（図１のＹ−Ｙ線上に位置する部位）における外装体６の幅Ｗ２（図４参照）は、腹側部Ａ及び背側部Ｂそれぞれにおける該外装体の最大幅に対して２５〜９０％、特に３０〜８０％であることが好ましく、また、同様の観点から、吸収性本体５が前記最大張り出し幅を有する部位における外装体６の幅Ｗ２（図４参照）は、同部位における吸収性本体５の幅Ｗの５０〜９５％、特に５５〜９０％であることが好ましい。
【００２３】
本実施形態のおむつ１は、図４に示すように、吸収性本体５の長手方向における、左右両側に張り出し部５１を有する部分５２における吸収体４に、該吸収体４の長手方向の各側縁４１，４１から離間させて一対の折曲補助手段４４，４４が設けられている。
折曲補助手段４４は、吸収体４を予め決められた所定の部位で折れ曲がり易くする手段である。
【００２４】
本実施形態における折曲補助手段４４は、吸収体４に部分的に設けた吸収体形成材料が存在しない領域である。より詳細に説明すると、前記部位５２における吸収体４は、図４に示すように、おむつ幅方向中央に位置する中央吸収体４２と、該中央吸収体４２の両側縁の外方に、各側縁から離間して位置する側部吸収体４３，４３とに分割されており、中央吸収体４２と各側部吸収体４３との間に、吸収体の形成材料が存在しない領域４４が存在している。そして、この領域４４が、本実施形態における折曲補助手段である。本実施形態においては、中央吸収体４２、一対の側部吸収体４３及び中央吸収体４２と各側部吸収体との間の前記領域４４によって吸収体４が構成されており、おむつ幅方向の最も外側に位置する側部吸収体４３の外側縁が、吸収体の側縁４１である。
【００２５】
ここで、吸収体形成材料とは、吸収体４を構成する液保持性の材料であり、通常、繊維集合体又は該繊維集合体の全体又は一部に吸水性ポリマーを保持させたものである（以下、これらを繊維集合体等という）。繊維集合体等は、紙や透水性の不織布等で被覆されていることもあるが、これらは本明細書における吸収体の形成材料には含めない。
繊維集合体としては、パルプ繊維、コットン繊維、レーヨン繊維等のセルロース系繊維や、ポリエチレン、ポリプロピレン等の合成繊維、又はこれらの繊維の２種以上の混合物からなる繊維集合体が挙げられる。
繊維集合体の形態としては、カード法により得られる繊維ウエブ等が挙げられる。吸水性ポリマーとしては、自重の２０倍以上の液体を吸収・保持でき且つゲル化し得るものが好ましく、例えば、デンプンや架橋カルボキシルメチル化セルロース、アクリル酸又はアクリル酸アルカリ金属塩の重合体又は共重合体等、ポリアクリル酸及びその塩並びにポリアクリル酸塩グラフト重合体を挙げることができる。繊維集合体にポリマーを保持させた形態としては、繊維集合体の繊維間隙にポリマーを保持させたもの、多層の繊維集合体の層間にポリマーをサンドイッチしたもの等が挙げられる。
【００２６】
折曲補助手段による装着性向上効果は、適度な剛性を有する吸収体を用いた場合に特に顕著である。そのような吸収体の例としては、繊維集合体として、パルプ繊維、コットン繊維、レーヨン繊維、テンセル繊維等のセルロース系繊維からなる繊維集合体を用いており、その平均厚みが０．１〜３．０ｃｍの吸収体を挙げることができる。
【００２７】
本実施形態のように、吸収体の形成材料が存在しない領域４４を折曲補助手段とする場合の該領域は、例えば、一体として製造した繊維集合体等を切断し、これを離間配置することにより形成することができ、また、元々離間した部位に複数の繊維集合体等を形成することにより形成することもできる。
本実施形態における折曲補助手段４４は、吸収体４の長手方向の全長に亘って形成されており、おむつ止着部側を着用者の股間に沿って引き上げることが一層容易である。
【００２８】
吸収体４に設ける折曲補助手段は、本実施形態におけるように吸収体の一部に吸収体形成材料が存在しない領域４４を形成するのに代えて、前記吸収体４にスリットを形成し、該スリットを折曲補助手段とすることもでき、また、吸収体４に部分的に吸収体形成材料の坪量が他の部分よりも低い領域を形成し、該領域を折曲補助手段とすることもできる。吸収体に部分的に低坪量領域を形成する場合、該領域の吸収体形成材料の坪量は、その両側それぞれの部位における吸収体形成材料の坪量の１／２以下、特に１／３であることが好ましい。
【００２９】
また、図５に示すように、吸収体４にエンボス処理により連続又は非連続のエンボス線４４’を形成し、該エンボス線を折曲補助手段とすることもできる。図５に示す形態においては、エンボス線４４’が吸収体４のおむつ長手方向に対応する方向に延びており、該吸収体４は、該エンボス線４４’を境に一方の側がおむつ幅方向の中央側に位置し、他方の側がおむつ幅方向外方側側に位置するように、表裏面シート間に配されている。エンボス線４４’は、エンボス処理を施した部分の吸収体坪量が減少するように形成することが好ましい。また、エンボス線４４’は、吸収体４に部分的に吸収体形成材料の坪量が他の部分よりも低い領域を形成し、該領域に設けることもできる。尚、エンボス処理は、ヒートシール、超音波シール等の熱が加わるエンボス処理であることが好ましいが、加圧のみのエンボスであっても良い。
【００３０】
また、本実施形態における折曲補助手段は、おむつ長手方向に延びる中央線と平行に形成されているが、折曲補助手段は、前記中央線に対して角度を有するように形成したり、幅方向中央側又は幅方向外方側に凹となるように湾曲させて形成することもでき、更には、サインカーブ状等に形成しても良い。
【００３１】
また、本実施形態における折曲補助手段は、吸収体の全長に亘って形成されているが、吸収性本体５の張り出し部５１を有する部分５２のみ、或いは該部分５２から腹側部Ａ又は背側部Ｂの何れか一方の側の端に亘るように形成することもできる。但し、おむつ止着部側の引き出し操作を容易にする観点から、前記部分５２を含めて、吸収体の全長の２０％以上、特に３０％以上の長さに亘って形成されていることが好ましい。
【００３２】
以下、本実施形態のおむつ１の好ましい使用方法について説明する。
本実施形態のおむつ１は、左右のウエストバンド部を、着用者の腹側において止着して装着する方法（以下、腹側装着ともいう）及び着用者の背側において止着して装着する方法（以下、背側装着ともいう）の何れの方法でも装着することができるが、背側装着で装着する場合に本発明の効果がより顕著であるため、背側装着する場合を例にして説明する。
使い捨ておむつ１を装着するには、先ず、図６に示すように、着用者３０の腹側に腹側部Ａを当接させ、両ウエストバンド部１０ａ，１０ｂを着用者３０の背側にもってくる。そして、一方のウエストバンド部１０ａを、他方のウエストバンド部１０ｂに重ねるようにして、一方のウエストパンド部１０ａの先端部に設けられたバンド止着部１１を、他方のウエストバンド部１０ｂの裏面シート側に係合止着する。そして、背側部Ｂを着用者３０の背側に引き出し、着用者３０の股間に沿って引き上げる。そして、図６に示すように、おむつ止着部２１，２１を、互いに連結された状態の両ウエストバンド部１０，１０に係合止着する。このとき、フラップ部２０が弾性伸縮部２２を有する場合には、弾性伸縮部２２を伸長させながら止着することが好ましい。
このようにして、おむつの装着が完了する。
【００３３】
本実施形態のおむつによれば、股下部Ｃにおける外装体６が凹欠部６４を有し且つ吸収性本体５が該凹欠部６４に張り出した張り出し部５１を有するため、着用者の股間部に配される部分、特に脚周りに配される部分のフィット性及び外観を向上させることができる。
即ち、装着状態において、張り出し部５１が矢印Ｐ方向に折れ曲がると、その先端部の位置５１ａが安定的に股の付根にあたり、優れたフィット性が得られ、外観も良好となる。
【００３４】
しかも、吸収性本体は実質幅が小さくなるように折れ曲がっているものの、本来の幅は広いので、吸収性及び尿取りパッド（補助吸収具）との併用性が良好である。
即ち、本実施形態のおむつによれば、吸収性本体５及び吸収体４の幅を広く維持できるため、吸収性能や補助吸収具をおむつ内面に載置して併用する場合の該補助吸収具の配置容易性等を犠牲にすることもない。
【００３５】
また、本実施形態のおむつによれば、吸収体４に一対の折曲補助手段４４が設けられているため、背側部Ｂを、着用者３０の股間部を通して背側に引き出す際に、吸収体４の両側部が容易に下方に屈曲するため、おむつと着用者の大腿部との接触圧ないし摩擦が大きく低減する。そのため、背側部Ｂの引き出し操作をスムーズに行うことができる。
【００３６】
更に、本実施形態の使い捨ておむつによれば、おむつ止着部２１を有するフラップ部２０にも弾性伸縮部２２が形成されており、そのため、おむつ止着部２１を、背側に止着した状態のウエストバンド部１０又はその近傍部に極めて容易に止め付けることができる。しかも、弾性伸縮部２２の存在によって、立ったり座ったりする動作や背中の曲げ伸ばし動作等に伴う背中の伸び縮みの影響が緩和され、着用中における、おむつのズレ落ち、特に着用者の背中が露出するようなズレが生じにくい。
本実施形態のおむつ１は、自分で装着できない老人等に対してその背側から装着して問題なく使用することができ、それにより、介護者の労力的負担及び着用者の労力的・精神的負担を軽減することができる。
本実施形態のおむつ１は、着用者３０の背側に腹側部Ａを当接させ、両ウエストバンド部１０，１０を着用者３０の腹側において止着して装着することもでき、その場合にも、背側部Ｂ（おむつ止着部側）の腹側への引き出し操作を極めてスムーズに行うことができる。
【００３７】
尚、表面シート２、裏面シート３、立体ガード７、内層シート６２、外層シート６３、各部の弾性部材等の構成材料としては、使い捨ておむつに従来用いられている各種公知のものを特に制限なく用いることができる。また、弾性部材６１の形成素材としては、天然ゴム、合成ゴム、スパンデックス等の各種のものを用いることができ、それぞれの形態としては糸状、帯状、フィルム状等の各種のものを用いることができ、特に糸ゴム又は平ゴムが好ましく、これらは複数本（例えば２本〜５本）を平行に配置することが好ましく、それぞれ補助吸収具の長手方向に沿って配置することが好ましい。
【００３８】
本発明の使い捨ておむつは、上述した実施形態に制限されず、本発明の趣旨を逸脱しない範囲で種々変更が可能である。
例えば、上記実施形態におけるウエストバンド部１０は、ウエストバンド部形成用のシート材１０Ａを、外装体の両側縁部に接着剤により脱着不可能に固定して形成されていたが、図７に示すように、ウエストバンド部１０は、ウエストバンド部形成用のシート材１０Ａを、外装体６に、上述した機械的ファスナーの凸部材等の、剥離及び再接合可能な接合手段８１により脱着自在に固定して形成することもできる。図７に示す例においては、フラップ部２０も同様に、フラップ部形成用のシート材２０Ａを、剥離及び再接合可能な接合手段８２により着脱自在に固定して形成されている。
【００３９】
このようにしてウエストバンド部１０及び／又はフラップ部２０を形成することにより、比較的高価な弾性伸縮部を有するシート材１０Ａ，２０Ａを用いてウエストバンド部を形成する場合であっても、外装体６や吸収性本体５のみを交換し、該シート材１０Ａ，２０Ａを再利用することで、おむつ交換に伴う経済的な負担を軽減することができる。
【００４０】
尚、外装体６と吸収性本体５との間の接合にも剥離及び再接合可能な接合手段を用い、おむつ交換時に外装体６と吸収性本体５とを分離して吸収性本体５のみを交換できるようにすれば、おむつ交換に伴う経済的な負担を一層軽減することができる。おむつの一部を再利用することは、省資源の観点からも好ましい。
【００４１】
また、ウエストバンド部形成用のシート材１０Ａを、外装体６に着脱自在に固定してウエストバンド部を形成する場合の該シート材１０Ａとしては、図８（ａ）に示すように、各ウエストバンド部用のシート材が左右に連続したシート材１０Ａ’や、図８（ｂ）に示すように、ウエストバンド部用のシート材１０Ａとフラップ部形成用のシート材２０Ａとが連続した構成のシート材を用いることもできる。但し、吸収性本体５を幅方向に過度に収縮させない観点から、左右のウエストバンド部は、互いに別体のシート材で形成されていることが好ましい。
【００４２】
また、上記実施形態のおむつ１における、ウエスト部弾性伸縮部材、レッグ弾性伸縮部材６１及び立体ガード７は、それぞれ一部又は全部を省略することができる。
【００４３】
また、上記実施形態においては、外装体の腹側部Ｂに別体のシート材２０Ａを接合してフラップ部２０を形成してあったが、図９に示すおむつのように、外装体自体を構成するシート（例えば内層シート及び／又は外層シート）によりフラップ２０（吸収性本体５の側縁から外方に延出する部分）を形成し、該フラップ２０におむつ止着部２１を設けることもできる。
【００４４】
また、おむつ止着部２１は、背側部におけるおむつ本体部分（ウエストバンド部を除く部分）の、ウエストバンド部の隣接部位に止着されるように設計されていても良く、あるいは、胴囲が特に小さい場合等、特定の着用者に装着する場合に限って、ウエストバンド部の隣接部位に止着されるようなものであっても良い。本発明のおむつは、補助吸収具を併用するものに限られない。
使い捨ておむつの各部の形状や寸法等は適宜に変更することができる。例えば、吸収体の形状は、略砂時計状（長手方向が細幅に括れた形状）であっても良い。
【００４５】
尚、上述した一の実施形態における説明省略部分及び一の実施形態のみが有する要件は、それぞれ他の実施形態に適宜適用することができ、また、各実施形態における要件は、適宜、実施形態間で相互に置換可能である。
【００４６】
【発明の効果】
本発明の使い捨ておむつによれば、吸収性能や補助吸収具の配置容易性を犠牲にすることなく、着用者の股間部に配される部分、特に脚周りに配される部分のフィット性及び外観を向上させることができる。
【図面の簡単な説明】
【図１】図１は、本発明の一実施形態としての使い捨ておむつを平面状に拡げた状態を示す平面図である。
【図２】図２は、図１の使い捨ておむつの分解斜視図である。
【図３】図３は、図１のＸ−Ｘ線模式断面図である。
【図４】図４は、図１のＹ−Ｙ線模式断面図である。
【図５】図５は、本発明の他の実施形態における折曲補助手段及びその付近の構成を示す斜視図である。
【図６】図６は、図１の使い捨ておむつを装着する途中の状態を着用者の背側から見た状態を示す図である。
【図７】図７は、外装体にシート材を着脱自在に固定してウエストバンド部を形成する形態を示す要部斜視図である。
【図８】図８（ａ）及び（ｂ）は、それぞれ、ウエストバンド部形成用のシート材の例を示す図である。
【図９】図９は、本発明の他の実施形態としての使い捨ておむつを示す平面図（図１相当図）である。
【符号の説明】
１  使い捨ておむつ
２  表面シート
３  裏面シート
４  吸収体
５  吸収性本体
６  外装体
７  立体ガード
１０  ウエストバンド部
１０Ａ  ウエストバンド部形成用のシート材
１１  バンド止着部
２０  フラップ部
２０Ａ  フラップ部形成用のシート材
２１  おむつ止着部
３０  着用者
Ａ  腹側部（外装体の長手方向の一方の部位）
Ｂ  背側部（外装体の長手方向の他方の部位）
Ｃ  股下部
【図１】
2004305601.tif 000003
【図２】
2004305601.tif 000004
【図３】
2004305601.tif 000005
【図４】
2004305601.tif 000006
【図５】
2004305601.tif 000007
【図６】
2004305601.tif 000008
【図７】
2004305601.tif 000009
【図８】
2004305601.tif 000010
【図９】
2004305601.tif 000011